(57)【要約】  【課題】  空気清浄フィルタを係止する回動可能な係止部材（ストッパ）に作用する押圧力（摩擦力）を長期に渡って適切に保ち，その係止部材の取り付けが簡易である空気清浄フィルタ装置及びそれを装着した空気調和機を提供することにある。  【解決手段】  空気を濾過して清浄する空気清浄フィルタを嵌装する取り付け枠が可撓部を有するものであり，その取り付け枠に嵌装された前記空気清浄フィルタを系止する系止部材が，その一部が前記可撓部に対して圧接されるとともに，その圧接部の周りに回動可能（空気清浄フィルタの係止位置とその係止の解除位置とに回動可能）に設けられた空気清浄フィルタ装置或いはそのような空気清浄フィルタ装置が装着された空気調和機として構成される。【選択図】  図７
2006090593.tif 000002
【特許請求の範囲】
【請求項１】
空気をろ過して清浄する空気清浄フィルタと，
前記空気清浄フィルタが嵌装される取り付け枠と，
前記取り付け枠に形成された可撓部に対し一部が圧接されるとともにその圧接部の周りに回動可能に設けられ，前記取り付け枠内に嵌装された前記空気清浄フィルタを係止する位置及びその係止を解除する位置に回動可能な係止部材と，
を具備してなることを特徴とする空気清浄フィルタ装置。
【請求項２】
前記可撓部が，前記係止部材から圧接される面に対する反対面側に空間を設けて配設された板状部である請求項１に記載の空気清浄フィルタ装置。
【請求項３】
前記可撓部の前記反対面側に前記空間を隔てて配設された支持部と，
前記可撓部における前記係止部材から圧接される部分の近傍に設けられた開口を貫通し，前記係止部材と前記支持部との間隔を規制するスペーサと，
を具備してなる請求項２に記載の空気清浄フィルタ装置。
【請求項４】
前記スペーサが形成され前記支持部に対して螺着された段付きねじにより前記係止部材が前記可撓部に対して圧接されてなる請求項３に記載の空気清浄フィルタ装置。
【請求項５】
空気調和機の空気吸込口に対して前記取り付け枠及び空気清浄フィルタが複数並べて装着されるものである請求項１〜４のいずれかに記載の空気清浄フィルタ装置。
【請求項６】
前記取り付け枠の幅が，前記空気吸込口の幅方向に複数並べて配設される空気吸込グリルの幅に略等しく形成されてなる請求項１〜５のいずれかに記載の空気清浄フィルタ装置
【請求項７】
請求項１〜６のいずれかに記載の空気清浄フィルタ装置が空気吸込口に装着されてなることを特徴とする空気調和機。
【請求項８】
請求項１〜６のいずれかに記載の空気清浄フィルタ装置が空気吸込口に装着されてなることを特徴とする天吊型または床置型または兼用型の空気調和機。
【発明の詳細な説明】
【技術分野】
【０００１】
本発明は，気体の濾過機能を有する空気清浄フィルタと，該空気清浄フィルタが嵌装される取り付け枠とからなる空気清浄フィルタ装置，及び該空気清浄フィルタ装置が取り付けられた空気調和機に関するものである。
【背景技術】
【０００２】
熱交換器等を具備し，室内の空気の温度，湿度等を調整する空気調和機の吸い込み口には，空気を濾過させて空気中の塵芥，悪臭，浮遊かび菌等を除去する空気清浄フィルタ装置が，オプション品として必要に応じて取り付けられる。一般に，前記空気清浄フィルタ装置は，空気の濾過機能を有する空気清浄フィルタと，該空気清浄フィルタが嵌装される取り付け枠とを備える。
このような空気清浄フィルタ装置では，一般的に前記取り付け枠にストッパが設けられており，そのストッパが前記空気清浄フィルタを係止することにより前記空気清浄フィルタの落下，飛び出しが防止されている。前記ストッパは，例えば特許文献１に記載されているように，一端をねじで前記取り付け枠に固定されており，そのねじを回転軸として，前記空気清浄フィルタを係止させる位置と，係止を解除させる位置とに回動可能に設けられている。
【０００３】
このような，従来例に係る空気清浄フィルタ装置，およびそれを具備した空気調和機の一例が図６〜８に示されている。
ここで，図６は従来例に係る空気清浄フィルタ装置Ｂを具備した空気調和機Ｙの外観斜視図，図７は従来例に係る空気清浄フィルタ装置Ｂにおける取り付け枠１０１の斜視図，図８は従来例に係る空気清浄フィルタ装置Ｂにおける取り付け枠１０１の要部縦断面図である。
また，図１０は，空気清浄フィルタ装置が装着されていない空気調和機本体Ｚの斜視図，図１１は空気調和機本体Ｚから吸込グリルを取り除いた状態を表す斜視図である。
図６に示されるように，従来の空気清浄フィルタ装置Ｂは，その取り付け枠１０１が，空気調和機本体Ａの空気吸込口１（図１１参照）の縁部に沿って一体に形成され，その横幅は空気吸い込み口１の横幅を超える幅に形成されている。
そして，そのような一体の（単一の）取り付け枠１０１は，複数個の（図７の例では２個の）空気清浄フィルタ１１（図６参照）が嵌装可能に構成されている。
また，図７に示されるように前記取り付け枠１０１には，その取り付け枠１０１の上側の一部に，前記取り付け枠１０１に嵌装された前記空気清浄フィルタ１１を係止するストッパ２１（係止部材）が設けられている。このストッパ２１は，図７に示される矢印の方向に回動可能に設けられている。そして，このストッパ２１が図７に示すα位置に回動されることにより，前記空気清浄フィルタ１１がフレーム１０２に嵌装された状態で係止される。一方，前記ストッパ２１が図７に示すβ位置に回動されると，前記空気清浄フィルタ１１の係止が解除されて着脱が可能となる。
【０００４】
図８に前記ストッパ２１周辺の詳細図を示す。
前記ストッパ２１には，段付きねじ２２（図５（ｂ）参照）を貫通させる開孔２１Ａが設けられており，図８に示されるように，段付きねじ２２が前記開孔２１Ａを貫通した状態で取り付け枠１０１に対して嵌挿されることにより，回動可能に取り付けられている。
また，前記ストッパ２１は，段付きねじ２２によって平ワッシャ２２ｃを介して取り付け枠１０１側に押圧されている。これにより，前記ストッパ２１と前記平ワッシャ２２ｃ及び取り付け枠１０１との間に挟まれた波形ワッシャ１０３との間で前記ストッパ２１の回動に抗する摩擦力が生じ，前記ストッパ２１が，前記空気清浄フィルタ１１の係止位置αとその係止の解除位置βとの各々で停止した状態が維持される。
ここで，前記ストッパ２１の回動時に作用する摩擦力が強すぎると前記ストッパ２１は滑らかに回動せず，そのような滑らかでない回動により前記ストッパ２１や取り付け枠１０１の摺動面が磨耗し，それが前記ストッパ２１のがたつきの原因となる。
一方，前記ストッパ２１に作用する摩擦力が弱すぎる状態では，わずかな衝撃などに対して意図しない前記ストッパ２１の回動が生じる。前記空気清浄フィルタを固定している状態でこのような意図しない回動が生じると，前記空気清浄フィルタが前記取り付け枠１０１から飛び出したり，落下してしまうなどの不具合が生じる。そこで，前記ストッパ２１に作用する摩擦力を適切に保つために，前記ストッパ２１及び前記フレーム１０２の間に，図９にその斜視図が示される波形ワッシャ１０３が挟みこまれている。
【０００５】
前記段付きねじ２２が取り付け枠１０１にねじ込まれた状態において，前記波形ワッシャ１０３により前記取り付け枠１０１と前記ストッパ２１との間の直接的な接触が防がれ，更に前記取り付け枠１０１と前記波形ワッシャ１０３との間，及び前記ストッパ２１と前記波形ワッシャ１０３との間に適切な接触面積及び反発力が保たれる。これにより，前記ストッパ２１が正常に回動するのに適切な摩擦力が得られる。
前記段付きねじ２２は図８（及び後述する図５（ｂ））に示されるように，ねじ部分２２ａ，スペーサ部分２２ｂ，平ワッシャ２２ｃ及び頭部分２２ｄを有するものである。前記段付きねじ２２を最大限にねじ込んだ状態においてもなお，前記スペーサ部分２２ｂにより前記頭部分２２ｄ及び前記平ワッシャ２２ｃと前記取り付け枠１０１との間隔が一定に規制され，これにより必要以上の荷重（摩擦力）が前記ストッパ２１に作用することが防止されている。
【特許文献１】特開平１０−２８１４８６号公報
【発明の開示】
【発明が解決しようとする課題】
【０００６】
しかしながら，上述のように波形ワッシャを介してストッパを固定する場合，前記波形ワッシャは前記ストッパ及び取り付け枠の圧接下にあり，またその状態で前記ストッパが回動されること等から，前記波形ワッシャは経時的に変形を生じやすい。前記波ワッシャに変形が生じると，前記ストッパに作用する押圧力（即ち，摩擦力）を適切に保つことができず（いわゆるガタが生じる），前記ストッパの位置が適切に保持されないという問題点があった。また，前記波形ワッシャの組み込みが面倒であり，また，その組み込み忘れが生じやすく，これによって前記ストッパの位置が適切に保持されないという問題点もあった。
従って，本発明は上記事情に鑑みてなされたものであり，その目的とするところは，空気清浄フィルタを係止する回動可能な係止部材（ストッパ）に作用する押圧力（摩擦力）を長期に渡って適切に保ち，その係止部材の取り付けが簡易である空気清浄フィルタ装置及びそれを装着した空気調和機を提供することにある。
【課題を解決するための手段】
【０００７】
上記目的を達成するために本発明は，空気を濾過して清浄する空気清浄フィルタを嵌装する取り付け枠が可撓部を有するものであり，その取り付け枠に嵌装された前記空気清浄フィルタを係止する係止部材が，その一部が前記可撓部に対して圧接されるとともに，その圧接部の周りに回動可能（空気清浄フィルタの係止位置とその係止の解除位置とに回動可能）に設けられた空気清浄フィルタ装置或いはそのような空気清浄フィルタ装置が装着された空気調和機として構成される。
これにより，前記係止部材が圧接されることによって前記可撓部が撓み，その可撓部の復元力が前記係止部材に対する押圧力として作用し，その結果，前記係止部材の回動時に前記係止部材と前記可撓部との間に適切な摩擦力が作用するので，滑らかな前記係止部材の回動性が得られる。また，前記可撓部は，上述の波形ワッシャとは異なり経時的な変形を生じにくいもの，即ち，その復元力が長期間安定したものとすることができ，長期間に渡って前記係止部材の正常な回動性を保つことが可能である。また，前記波形ワッシャの組み込みの必要がなく，取り付け作業が簡易であり，前記波形ワッシャの組み込み忘れによる不具合も生じない。
【０００８】
前記可撓部の具体例として，前記係止部材から圧接させる面の反対面側に空間が設けられた板状部であることが考えられる。
このような構成とすることで，前記係止部材の圧接により前記板状部は前記空間方向に撓み，その板状部の復元力（即ち，前記係止部に対する押圧力）により前記係止部材に対する適切な摩擦力が長期間に渡って作用し，滑らかな前記係止部材の回動性が長期間にわたって保持される。
より具体的には，前記板状部に開口が設けられており，前記板状部と前記空間を隔てて配設された支持部と前記係止部材との間隔を，前記開口部を貫通するように設けられたスペーサにより規制することが考えられる。
これにより，前記係止部材と前記支持部との距離が一定範囲に保たれ，前記係止部材に作用する復元力（即ち，前記可撓部からの押圧力及び摩擦力）を適切な強さに安定させやすくなる。
【０００９】
更に，前記スペーサを有する段付きねじを前記支持部に螺着させ，これにより前記係止部材を前記可撓部に対して圧接させる構成が考えられる。
このようにすれば，前記段付きねじを用いた簡単な構成により，前記係止部材を前記可撓部に対して圧接させることが可能であり，前記段付きねじを最大限ねじ込むだけで，微妙な調節を特に行うことなく，前記係止部材に適切な押圧力（摩擦力）を作用させることが可能である。
ここで，空気調和機の空気吸い込み口に対して前記取り付け枠及び前記空気清浄フィルタが複数並べて装着されるものであることが考えられる。
前述の従来例のように，空気清浄フィルタの取り付け枠が，空気調和機の吸い込み口の縁部全体に渡る一体構造を有していると，取り付け枠のサイズ及び重量が大きくなり，前記空気清浄フィルタ装置の空気調和機本体への取り付け作業や梱包作業，保管及び輸送等が困難になるという問題点があったが，上記構成により，一体として取り扱える構成要素（前記取り付け枠）のサイズ及び重量を抑えることが可能であり，前記空気清浄フィルタ装置の前記空気調和機への取り付け作業，梱包作業，保管，及び輸送等が容易になる。
また，前記取り付け枠の幅が，前記空気吸い込み口における吸込グリルの幅に略等しく形成されたものであってもよい。
これにより，前記空気調和機のモデルが異なっていても，前記吸込グリルの幅が同一なものに対しては本発明に係る空気清浄フィルタ装置を適用することが可能であり，共通化，量産が可能となることから，製造コストを抑えることが可能となる。また，前記吸込グリルの形成幅と前記空気清浄フィルタ装置の幅（即ち，前記取り付け枠の幅）が揃うために前記空気調和機の美観が向上し，また，前記空気清浄フィルタ装置が前記空気調和機におけるサイドカバーなどの取り付け作業に干渉することがない。
また，本発明は上述のような空気清浄フィルタ装置が空気吸い込み口に装着された，天吊型，床置型，または兼用型等の空気調和機として捉えることも可能である。
【発明の効果】
【００１０】
本発明によれば，空気清浄フィルタを係止する回動可能な係止部材（ストッパ）に作用する押圧力（摩擦力）を長期に渡って適切に保ち，その係止部材の取り付けが簡易な空気清浄フィルタ装置を構成できる。
【発明を実施するための最良の形態】
【００１１】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る空気清浄フィルタ装置Ａを装着した空気調和機Ｘの外観斜視図，図２は本発明の実施の形態に係る空気清浄フィルタ装置Ａを装着した空気調和機Ｘの縦断面図，図３は本発明の実施の形態に係る空気清浄フィルタ装置Ａにおける取り付け枠１２の斜視図，図４は本発明の実施の形態に係る空気清浄フィルタ装置Ａにおける取り付け枠１２の要部縦断面図，図５は本発明の実施の形態に係る空気清浄フィルタ装置Ａにおける上フレーム１３及びフィルタ枠１５の斜視図並びに段付きねじ２２の概形を示す図，図６は従来例に係る空気清浄フィルタ装置Ｂを装着した空気調和機Ｙの外観斜視図，図７は従来例に係る空気清浄フィルタ装置Ｂにおける取り付け枠１０１の斜視図，図８は従来例に係る空気清浄フィルタ装置Ｂにおける取り付け枠１０１の要部縦断面図，図９は従来例に係る空気清浄フィルタ装置Ｂに取り付けられる波形ワッシャ１０３の斜視図，図１０は空気清浄フィルタ装置が装着される前の空気調和機本体Ｚの外観斜視図，図１１は吸込グリル２を取り外した状態の空気調和機本体Ｚの外観斜視図。尚，本発明の実施形態及び従来例において同様の構成については，同様の符号を付すものとする。
【００１２】
図１０及び図１１に示されるように，本発明の実施の形態に係る空気清浄フィルタ装置Ａが装着可能である空気調和機本体Ｚは，空気吸込口１，吸込グリル２，プレフィルタ３，右サイドカバー４，左サイドカバー５，吹出口６等を有している。
この空気調和機本体Ｚから，前記吸込グリル２が取り外され（図１１の状態），図１及び図２に示されるように，前記空気吸込口１にオプション品である空気清浄フィルタ装置Ａが取り付けられる。以下，空気調和機本体Ｚに空気清浄フィルタ装置Ａが装着されたものを空気調和機Ｘという。
また，当該空気調和機本体Ｚの内部には，図１１及び図２に示されるように，本体内上ケーシング７，本体内下ケーシング８，送風機９，熱交換器１０等が設けられている。
前記空気吸込口１は外気の供給口である。空気調和機本体Ｚの前記空気吸込口１には，該空気吸込口１を覆う格子状のパネルである前記吸込グリル２が，前記空気吸込口１の横幅方向に２つ（複数の一例）並べて配設（装着）されている。この吸込グリル２各々には前記プレフィルタ３（図１０参照）が着脱可能に装着されており，該プレフィルタ３により簡易的に，吸入される空気の粗い塵，埃が予め除去される。
また，図１１及び図２に示されるように，前記空気吸込口１の奥部には複数の送風機９が設けられており，該送風機９各々の稼動により，図２に示される矢印Ｒ１の方向に前記空気の流れが生じ，前記空気吸込口１から空気が吸気される。
前記熱交換器１０は，不図示の室外機と併せて熱サイクル機関を構成しており，空気調和機Ｘの運転モード（冷房モード，暖房モード）に応じて適宜の稼動がなされ，前記熱交換器１０を通過する空気の熱交換を行うものである。
以上のように，空気調和機本体Ｚにおいては，前記吸込グリル２に内蔵された前記プレフィルタ３により予備的に清浄が行われた空気は，後述する空気清浄フィルタを経て高度に浄化された後，前記熱交換器１０における熱交換作用により温度が調節され，前記吹出口６から外部に排出される。
【００１３】
前記プレフィルタ３により除去可能な塵よりも更に微細な塵芥，悪臭，浮遊かび菌等を除去する必要がある場合，図１及び図２に示されるように，本発明の実施の形態に係る空気清浄フィルタ装置Ａが前記空気調和機本体Ｚの空気吸込口１に装着され，空気調和機Ｘが構成される。
空気清浄フィルタ装置Ａは，図１に示されるように，空気を濾過して微細な塵，花粉，浮遊カビ菌等を除去し，清浄する空気清浄フィルタ１１と，該空気清浄フィルタ１１が嵌装された状態で前記空気吸込口１に取り付けられる取り付け枠１２とを備えている。
図３は本発明の実施の形態に係る空気清浄フィルタ装置Ａにおける取り付け枠１２の斜視図，図４は前記取り付け枠１２の要部縦断面図である。
図３，４に示されるように，前記取り付け枠１２は，上フレーム１３，下フレーム１４，（上又は下）フィルタ枠１５，右フィルタ枠１６，左フィルタ枠１７，上カバー１８，右カバー１９，左カバー２０及びフック受けアングル２３等から構成され，前記フィルタ枠１５には，そのフィルタ枠１５に嵌装された前記空気清浄フィルタ１１を係止するストッパ２１（係止部材の一例）が，段付きねじ２２により取り付けられる。
【００１４】
当該空気清浄フィルタ装置Ａが前記空気調和機本体Ｚに装着される場合，まず，前記吸込グリル２が前記空気吸込口１から取り外される。図１１は空気吸込グリル２が取り外された状態を示す。また，前記取り付け枠１２の背面側に形成された前記上フレーム１３（図４参照）が，前記空気調和機本体Ｚにおける前記本体内上ケーシング７（図２参照）に，前記取り付け枠１２を構成する前記下フレーム１４が，前記空気調和機本体Ｚにおける前記本体内下ケーシング８（図２参照）に，それぞれねじ止めされ，前記空気清浄フィルタ装置Ａが前記空気吸込口１に装着される。さらに，その空気清浄フィルタ装置Ａの前面に，前記空気調和機本体Ｚから取り外された前記吸込グリル２が装着される。
図１に示すように，２個並べて配置される前記取り付け枠１２の幅は，前記２つの吸込グリル２の幅に略等しく形成されている。従って，前記空気清浄フィルタ装置Ａ（取り付け枠及び空気清浄フィルタ）は，前記吸込グリル２の２倍の幅を持つ前記空気吸込口１に対して，２つ（複数の一例）並べて装着される。
このように，空気調和機の空気吸い込み口１に対して空気清浄フィルタ装置Ａを構成する取り付け枠１２及び空気清浄フィルタ１１が複数並べて装着される構成とすれば，一体として取り扱える構成要素（取り付け枠）のサイズ及び重量が抑えられ，前記空気調和機への取り付け作業，梱包作業，保管，及び輸送等が容易となる。
更にこのように，前記取り付け枠１２の幅が，空気調和機の空気吸い込み口１における吸込グリル２の幅に略等しく形成されたものであれば，一の空気清浄フィルタ装置を吸込グリルが共通な様々なモデルの空気調和機に装着することが可能であり，量産化効果により生産コストを低減できる。
【００１５】
以下，前記ストッパ２１の前記フィルタ枠１５への取り付け構造，及び前記ストッパ２１の周辺について，図３，図４及び図５を参照しつつ詳細に説明する。
前記ストッパ２１は，従来例のものと同様に，図３に示される矢印Ｒ２の方向に，α位置とβ位置の間で回動可能に取り付けられている。図３中，２１ａがα位置，２１ｂがβ位置における前記ストッパ２１を示している。前記ストッパ２１が前記α位置に回動されることにより，前記空気清浄フィルタ１１が前記フィルタ枠１５に嵌装された状態で前記ストッパ２１によって係止される。一方，前記ストッパ２１が前記β位置に回動されると，前記空気清浄フィルタ１１の前記ストッパ２１による係止が解除され，前記空気清浄フィルタ１１の前記取り付け枠１２に対する着脱が可能となる。
また，図５に示されるように，前記上フレーム１３は板状に形成されたフレーム折り曲げ部２５を有しており，このフレーム折り曲げ部２５には突起部２６及びねじ穴２７（ねじ山が形成された穴）が設けられている。
同様に，前記フィルタ枠１５には板状のフィルタ枠折り曲げ部２８が形成され，該フィルタ枠折り曲げ部２８にはフィルタ枠開孔２９（可撓部に設けられた開口の一例）が設けられている。前記フィルタ枠折り曲げ部２８を含む前記フィルタ枠１５は，例えば鉄，樹脂などから構成される。
【００１６】
図４には前記ストッパ２１周辺の詳細断面図が示されている。
図４に示されるように，前記ストッパ２１，前記フィルタ枠１５（前記フィルタ枠折り曲げ部２８），及び前記上フレーム１３（前記フレーム折り曲げ部２５）は，段付きネジ２２により結合される。
前述の通り段付きネジ２２は，図５（ｂ）に示されるように，ねじ部分２２ａ，スペーサ部分２２ｂ，平ワッシャ２２ｃ及び頭部分２２ｄを有するものである。
図４に示されるように，前記段付きネジ２２は，前記ストッパ２１の一部に設けられた開孔２１Ａと，前記フィルタ枠折り曲げ部２８に設けられた前記フィルタ枠開孔２９（可撓部の開口）とをその順序で貫通した状態で，前記フレーム折り曲げ部２５に設けられた前記ねじ穴２７にねじ込まれている（螺着されている）。
これにより，前記ストッパ２１は，前記段付きネジ２２の平ワッシャ２２ｃによって押圧され，前記ストッパ２１の開孔２１Ａの周囲に形成された凸部２４（前記フィルタ折り曲げ部２８方向への凸部）が前記フィルタ折り曲げ部２８に圧接される。
ここで，前記フィルタ折り曲げ部２８における前記凸部２４（圧接部）により圧接される部分，即ち，板状の前記フィルタ折り曲げ部２８に設けられた前記フィルタ枠開孔２９の周辺部分２８ａ（図５参照，板状部の一例）は，前記ストッパ２１（係止部材）から圧接される面に対する反対面側において，前記フレーム折り曲げ部２５に設けられた前記突起部２６がスペーサの機能を果たすことによって空間が形成される。これにより，前記フィルタ枠開孔２９の周辺部分２８ａ（板状部）は，前記凸部２４が圧接することにより，前記反対面側へ撓む可撓部となっている。以下，前記フィルタ枠開孔２９の周辺部分２８ａを可撓部２８ａという。
前記ストッパ２１（係止部材）は，前記段付きネジ２２によってその凸部２４（一部）が前記可撓部２８ａに対して圧接されるとともに，その圧接部（凸部２４）の周りに回動可能に取り付けられる。これにより，前述したように，前記ストッパ２１は，前記取り付け枠１２内に嵌装された前記空気清浄フィルタ１１を係止する位置α及びその係止を解除する位置βに適度な摩擦力を伴った状態で回動可能となる。
【００１７】
また，前記段付きネジ２２は，前記フィルタ枠折り曲げ部２８の前記可撓部２８ａの中央部分，（係止部材から圧接される部分の近傍の一例）に設けられた前記フィルタ枠開孔２９を貫通し，前記可撓部２８ａの前記反対面側に空間を隔てて配設された前記フレーム折り曲げ部２５（支持部の一例）に形成されている前記ねじ穴２７に対して螺着されるため，前記段付きネジ２２が最大限ねじ込まれた状態では，前記フレーム折り曲げ部２５と前記段付きネジ２２の前記頭部分２２ｄ（或いは平ワッシャ２２ｃ）とは前記スペーサ部分２２ｂの長さ分の距離（以下，規制距離）が保たれ，同時に前記ストッパ２１（係止部材の一例）と前記フレーム折り曲げ部２５との間隔は前記規制距離に保持される。
ここで，前記規制距離（前記スペーサ部分２２ｂの長さ）は，前記突起部２６の高さ，前記可撓部２８ａの厚み，前記凸部２４を含む前記ストッパ２１の前記段付きネジ２２貫通穴（開口）周辺の厚み及び前記平ワッシャ２２ｃの厚みの総和よりも小さく形成される。これにより，前記段付きねじ２２のねじ部分２２ａを前記ねじ穴２７に対して最大限にねじ込んだ（螺着させた）状態では，前記平ワッシャ２２ｃにより前記ストッパ２１の凸部２６が前記可撓部２８ａに対して圧接され，その圧接により前記可撓部２８ａは前記反対面側の空間（前記突起部２６によって形成される空間）の方向に弾性変形する。
このように前記可撓部２８ａが弾性変形すると，その復元力が前記ストッパ２１における凸部２４に押圧力（反発力）として作用するので，それにより前記ストッパ２１の回動時には適度な摩擦力が生じる。
前記可撓部２８ａは，前述した波形ワッシャ１０３（図９参照）に比べて比較的広い面積を有する板状部であるので，わずかな曲率の変形で弾性力が得られ，長期間が経過しても元の形状に戻ろうとする反発力（前記ストッパ２１に対する押圧力）はほぼ一定に維持される。従って，前記ストッパ２１の回動時に作用する摩擦力も，前記規制距離を適当な距離に設定しておくことにより適切な強さに保たれ，また，経時的に変化しにくい。これにより，前記ストッパ２１の滑らかで適正な回動性が長期間にわたって維持される。
また，板状の前記可撓部２８ａに対し前記反対面側の空間を隔てて配設された前記フレーム折り曲げ部２５（支持部の一例）との間隔が，前記可撓部２８ａに設けられた前記フィルタ枠開孔２９を貫通するように設けられた前記段付きネジ２２の前記スペーサ部分２２ｂによって規制されるので，前記ストッパ２１と前記フレーム折り曲げ部２５との距離が一定範囲に保たれ，前記ストッパ２１に作用する前記可撓部２８ａからの押圧力及び摩擦力を適切な強さに安定させやすくなる。
しかも，前記スペーサ部分２２ｂを有する前記段付きねじ２２を前記フレーム折り曲げ部２５（支持部）に螺着させ，これにより前記ストッパ２１（係止部材）を前記可撓部２８ａに対して圧接させる構成であるため，簡単な構成によって前記ストッパ２１を前記可撓部２８ａに対して圧接させることが可能であり，前記段付きねじ２２を最大限ねじ込むだけで，微妙な調節を特に行うことなく，前記ストッパ２１に適切な押圧力（摩擦力）を作用させることができる。
【実施例】
【００１８】
上述の実施形態では，空気清浄フィルタ１１の嵌装が前記フィルタ枠１５により，また，前記空気清浄フィルタ１１を空気調和機に取り付ける外枠の役割が上フレーム１３及び下フレーム１４によりなされる例についてを開示したが，従来例で示したように，これらの役割をフレーム枠１２等の単一の構成により兼用される例も考えられる。
その場合でも上述の実施例と同様に，前記ストッパ２１が圧接される面の反対側には適宜の空間を設ける等，前記ストッパ２１が圧接される部分には何らかの方法で可撓性を付与しておく必要がある。
【００１９】
上述の実施形態では前記突起部２６が前記フレーム折り曲げ部２５に設けられる例についてを開示したが，前記突起部２６は前記フィルタ枠折り曲げ部２８の前記フレーム折り曲げ部２５に対向する側（前記反対面側）に設けられるものであっても構わない。また，前記突起部２６のような，前記フレーム折り曲げ部２５と前記フィルタ枠折り曲げ部２８との間に空間を設けるための構成が，前記フレーム折り曲げ部２５及び前記フィルタ枠折り曲げ部２８とは独立に設けられており，前記フレーム折り曲げ部２５及び前記フィルタ枠折り曲げ部２８に挟み込まれる形で前記空間を設ける構成も考えられる。
更に，上述の説明では本発明に係る空気清浄フィルタ装置を天吊型の空気調和機に装着させる例について開示したが，当該空気清浄フィルタ装置は同様の構成により床置型，或いは兼用型の空気調和機に適用することも可能である。
【図面の簡単な説明】
【００２０】
【図１】本発明の実施の形態に係る空気清浄フィルタ装置Ａを装着した空気調和機Ｘの外観斜視図。
【図２】本発明の実施の形態に係る空気清浄フィルタ装置Ａを装着した空気調和機Ｘの縦断面図。
【図３】本発明の実施の形態に係る空気清浄フィルタ装置Ａにおける取り付け枠１２の斜視図。
【図４】本発明の実施の形態に係る空気清浄フィルタ装置Ａにおける取り付け枠１２の要部縦断面図。
【図５】本発明の実施の形態に係る空気清浄フィルタ装置Ａにおける上フレーム１３及びフィルタ枠１５の斜視図並びに段付きねじ２２の概形を示す図。
【図６】従来例に係る空気清浄フィルタ装置Ｂを装着した空気調和機Ｙの外観斜視図。
【図７】従来例に係る空気清浄フィルタ装置Ｂにおける取り付け枠１０１の斜視図。
【図８】従来例に係る空気清浄フィルタ装置Ｂにおける取り付け枠１０１の要部縦断面図。
【図９】従来例に係る空気清浄フィルタ装置Ｂに取り付けられる波形ワッシャ１０３の斜視図。
【図１０】空気清浄フィルタ装置が装着される前の空気調和機本体Ｚの外観斜視図。
【図１１】吸込グリル２を取り外した状態の空気調和機本体Ｚの外観斜視図。
【符号の説明】
【００２１】
Ａ…本発明の実施の形態に係る空気清浄フィルタ装置
Ｂ…従来例に係る空気清浄フィルタ装置
Ｘ…本発明の実施の形態に係る空気清浄フィルタ装置Ａを装着した空気調和機。
Ｙ…従来例に係る空気清浄フィルタ装置Ｂを装着した空気調和機。
Ｚ…空気調和機本体
１…空気吸込口
２…吸込グリル
３…プレフィルタ
４…右サイドカバー
５…左サイドカバー
６…吹出口
７…本体内上ケーシング
８…本体内下ケーシング
９…送風機
１０…熱交換器
１１…空気清浄フィルタ
１２…取り付け枠
１３…上フレーム
１４…下フレーム
１５…フィルタ枠
１６…右フィルタ枠
１７…左フィルタ枠
１８…上カバー
１９…右カバー
２０…左カバー
２１…ストッパ（係止部材の一例）
２１Ａ…開孔
２１ａ…ストッパ（空気清浄フィルタを係止する状態）
２１ｂ…ストッパ（空気清浄フィルタを係止しない状態）
２２…段付きねじ
２２ａ…ねじ部分
２２ｂ…スペーサ部分
２２ｃ…平ワッシャ
２２ｄ…頭部分
２３…フック受けアングル
２４…（ストッパにおける）凸部
２５…フレーム折り曲げ部（支持部の一例）
２６…突起部
２７…ねじ穴
２８…フィルタ枠折り曲げ部
２８ａ…可撓部（板状部の一例）
２９…フィルタ枠開孔
１０１…（従来例における）取り付け枠
１０２…（従来例における）フレーム
１０３…波形ワッシャ
【図１】
2006090593.tif 000003
【図２】
2006090593.tif 000004
【図３】
2006090593.tif 000005
【図４】
2006090593.tif 000006
【図５】
2006090593.tif 000007
【図６】
2006090593.tif 000008
【図７】
2006090593.tif 000009
【図８】
2006090593.tif 000010
【図９】
2006090593.tif 000011
【図１０】
2006090593.tif 000012
【図１１】
2006090593.tif 000013